(57)【要約】 【課題】簡易的に、幅方向が２５ｃｍ、長さ方向が１００ｃｍの長方形タイルカーペットの長さ方向をノギスで測定しやすくなる寸法測定用の補助台を提供することが目的である。 【解決手段】本考案の寸法測定用の補助台１は、少なくとも２以上のノギスを載置する載置台２と、該載置台２と該載置台２を連結する連結棒３を備え、前記載置台２は平面視において複数の凹凸形状を有しており、前記載置台２の凸部４は断面視で上底が下底よりも短い台形状であり、前記凸部４の上底と下底を結ぶ直線と前記下底とのなす角度が４４°〜４６°であり、前記載置台２の凹部８までの高さが８４ｍｍ〜８６ｍｍであり、前記凸部４の突出高さが２１ｍｍ〜２３ｍｍであることを特徴とする。【選択図】図１
0003207175.tif 000002
【実用新案登録請求の範囲】
【請求項１】
少なくとも２以上のノギスを載置する載置台と、該載置台と該載置台を連結する連結棒を備え、前記載置台は平面視において複数の凹凸形状を有しており、前記載置台の凸部は断面視で上底が下底よりも短い台形状であり、前記凸部の上底と下底を結ぶ直線と前記下底とのなす角度が４４°〜４６°であり、前記載置台の凹部までの高さが８４ｍｍ〜８６ｍｍであり、前記凸部の突出高さが２１ｍｍ〜２３ｍｍであることを特徴とする寸法測定用の補助台。
【請求項２】
前記載置台の凹部は、第１凹部と、第２凹部と、第３凹部を有しており、前記第１凹部から前記第２凹部とは反対側の前記載置台の端部までの距離が９７ｍｍ〜１０３ｍｍであり、前記第１凹部から前記第２凹部までの距離が１１２ｍｍ〜１１８ｍｍであり、前記第２凹部から前記第３凹部までの距離が１１２ｍｍ〜１１８ｍｍである請求項１に記載の寸法測定用の補助台。
【考案の詳細な説明】
【技術分野】
【０００１】
本考案は、タイルカーペットの寸法をノギスで測定する際に使用するための補助台に関する。特に、幅方向が２５ｃｍ、長さ方向が１００ｃｍの長方形タイルカーペットの長さ方向を、ノギスで測定しやすくなる寸法測定用の補助台に関する。
【背景技術】
【０００２】
従来タイルカーペットは、ロールカーペットに比べて施工し易い、持ち運びが容易、部分的な張り替えが可能などの利点から、オフィスや商業施設の床材として使用されています。
【０００３】
タイルカーペットは、表面パイル層とバッキング樹脂を固化したバッキング層とからなり、バッキング層はポリ塩化ビニル樹脂を主体としたものが多く、寸法サイズとしては５０ｃｍ角のものが多い。
【０００４】
また、柔らかいポリ塩化ビニル樹脂を積層したタイルカーペットの寸法を測定する装置についても開示されている。
【０００５】
例えば、特許文献１においては、評価されるべき積層体の剛性の試験領域と、固定された要素と固定された基準位置に位置する支持部材によって積層体に強固に結合されるようにされたセンサーと、寸法測定要素に強固に結合された可動要素からなり、該センサーが可動要素の変位に対応する出力を発生し、該寸法測定要素が支持位置から隔てられた点で評価されるべき積層体に適合するものであり、センサーからの出力である変位の指示を貯蔵する記録手段からなる装置が開示されている。
【特許文献１】特開昭６３−１０９３１１号公報
【考案の開示】
【考案が解決しようとする課題】
【０００６】
特許文献１では、周囲の温度や湿度のもとで変化に曝されるときに起こすカーペット・タイルの寸法変化を測定するには優れているが、設備が大掛かりになってしまう。
【０００７】
さらに、近年では、タイルカーペットの寸法サイズとしては５０ｃｍ角のものだけでなく、幅方向が２５ｃｍ、長さ方向が１００ｃｍの長方形タイルカーペットもデザイン張りのため、増加している。
【０００８】
よって、タイルカーペットの寸法を測定するための装置も、５０ｃｍまたは１００ｃｍの両方を測定することができる測定装置が必要となり、特に、長さ方向が１００ｃｍのタイルカーペットの寸法測定用の装置は大掛かりになってしまう。
【０００９】
しかしながら、寸法測定用の装置に頼らず、長さ方向が１００ｃｍのタイルカーペットの寸法を測定するために、人がノギスを支えながら両手を大きく広げ寸法を測定する作業は効率が悪く、かつ、測定精度が悪くなる恐れがある。
【００１０】
本考案は、かかる技術的背景を鑑みてなされたものであって、簡易的に、幅方向が２５ｃｍ、長さ方向が１００ｃｍの長方形タイルカーペットの長さ方向をノギスで測定しやすくなる寸法測定用の補助台を提供することが目的である。
【課題を解決するための手段】
【００１１】
前記目的を達成するために、本考案は以下の手段を提供する。
【００１２】
[１] 少なくとも２以上のノギスを載置する載置台と、該載置台と該載置台を連結する連結棒を備え、前記載置台は平面視において複数の凹凸形状を有しており、前記載置台の凸部は断面視で上底が下底よりも短い台形状であり、前記凸部の上底と下底を結ぶ直線と前記下底とのなす角度が４４°〜４６°であり、前記載置台の凹部までの高さが８４ｍｍ〜８６ｍｍであり、前記凸部の突出高さが２１ｍｍ〜２３ｍｍであることを特徴とする寸法測定用の補助台。
【００１３】
[２] 前記載置台の凹部は、第１凹部と、第２凹部と、第３凹部を有しており、前記第１凹部から前記第２凹部とは反対側の前記載置台の端部までの距離が９７ｍｍ〜１０３ｍｍであり、前記第１凹部から前記第２凹部までの距離が１１２ｍｍ〜１１８ｍｍであり、前記第２凹部から前記第３凹部までの距離が１１２ｍｍ〜１１８ｍｍである前項１に記載の寸法測定用の補助台。
【考案の効果】
【００１４】
[１]の考案では、少なくとも２以上のノギスを載置する載置台と、載置台と載置台を連結する連結棒を備えているから、簡易的な装置となり、人の手で持ちやすく作業しやすい。載置台は平面視において複数の凹凸形状を有しており、載置台の凸部は断面視で上底が下底よりも短い台形状であり、凸部の上底と下底を結ぶ直線と下底とのなす角度が４４°〜４６°であり、載置台の凹部までの高さが８４ｍｍ〜８６ｍｍであり、凸部の突出高さが２１ｍｍ〜２３ｍｍであるから、人が両手を大きく広げながらノギスを支えるのではなく、載置台の凸部の傾斜面にノギスを載置することができるため、長さ方向が１００ｃｍのタイルカーペットの寸法を測定しやすくなり、測定精度を良く測定することができる。
【００１５】
[２]の考案では、載置台の凹部は、第１凹部と、第２凹部と、第３凹部を有しており、第１凹部から第２凹部とは反対側の載置台の端部までの距離が９７ｍｍ〜１０３ｍｍであるから、幅方向が２５ｃｍであるタイルカーペットの端部から１ｃｍの位置の寸法を測定することができる。第１凹部から第２凹部までの距離が１１２ｍｍ〜１１８ｍｍであるから、幅方向が２５ｃｍであるタイルカーペットの端部から１２．５ｃｍの位置の寸法を測定することができる。また、第２凹部から第３凹部までの距離が１１２ｍｍ〜１１８ｍｍであるから、幅方向が２５ｃｍであるタイルカーペットのもう一方の端部から１ｃｍの位置の寸法を測定することができる。寸法測定用の補助台を１度セットした状態から動かさなくても、載置台の凸部の傾斜面にノギスを載せ替えるだけで、タイルカーペットの３箇所の寸法を簡単に測定することができる。
【図面の簡単な説明】
【００１６】
【図１】本考案に係る寸法測定用の補助台の斜視図である。
【図２】本考案に係る寸法測定用の補助台の平面図である。
【図３】図１におけるＸ−Ｘの断面図である。
【図４】タイルカーペットの上に寸法測定用の補助台を載せた使用状態を示す。
【図５】タイルカーペットの上に寸法測定用の補助台を載せ、ノギスでタイルカーペットの寸法を測定している状態を示す。
【考案を実施するための最良の形態】
【００１７】
本考案に係る寸法測定用の補助台の一実施形態を図面に基づいて説明する。図１に示すように、本実施形態の寸法測定用の補助台１は、少なくとも２以上のノギスを載置する載置台２と、該載置台２と該載置台２を連結する連結棒３を備え、前記載置台２は平面視において複数の凹凸形状を有しており、前記載置台２の凸部４は断面視で上底が下底よりも短い台形状であり、前記凸部４の上底と下底を結ぶ直線と前記下底とのなす角度が４４°〜４６°であり、前記載置台２の凹部８までの高さが８４ｍｍ〜８６ｍｍであり、前記凸部４の突出高さが２１ｍｍ〜２３ｍｍであることを特徴とする。
【００１８】
前記載置台２は、少なくとも２以上である必要がある。この場合、載置台２の個数が２以上あることでノギスを載置する際に安定させることができ、作業性を改善することができる。
【００１９】
前記載置台２は、該載置台２と該載置台２を連結する連結棒３を備えていることが必要である。前記連結棒３の本数は、特に限定されるものではないが、２本以上であることがより好ましい。この場合、載置台２を手で運びやすくなるため、簡易的にタイルカーペットの寸法を測定できるための補助台とすることができる。
【００２０】
前記載置台２の側面側には、連結棒３と連結させるための貫通孔が開いていることが好ましい。
【００２１】
図２に示すように、前記載置台２は平面視において複数の凹凸形状を有していることが必要である。前記凹凸形状は、凸部４と凹部８からなる。凹凸形状の凸部４の傾斜面９にノギスを載置することできるため、手だけでノギスを支える必要がなく、安定してタイルカーペットの寸法を測定することができる。
【００２２】
図３に示すように、前記載置台２の凸部４は断面視で上底が下底よりも短い台形状であることが必要である。前記凸部４の台形状の傾斜面９にノギスを載置することができるため、手だけでノギスを支える必要がなく、作業性を改善できる。
【００２３】
前記凸部４の上底と下底を結ぶ直線と前記下底とのなす角度Ａが４４°〜４６°であることが必要である。４４°未満ではノギスがタイルカーペットまで届かず寸法を測定できなかったり、４６°を超えても、寸法測定用に用いたノギスでは、ノギスの測定部がタイルカーペットの測定位置に当たらないため、好ましくない。中でも、４５°であることがより好ましい。
【００２４】
前記載置台２の凹部８までの高さＶが８４ｍｍ〜８６ｍｍであることが必要である。８４ｍｍ未満では寸法測定用に用いたノギスでは、ノギスの測定部がタイルカーペットの測定位置に当たらなかったり、８６ｍｍを超えても、ノギスがタイルカーペットまで届かず寸法を測定できないため、好ましくない。中でも、８５ｍｍであることがより好ましい。
【００２５】
前記凸部４の突出高さＷとしては、２１ｍｍ〜２３ｍｍであることが必要である。２１ｍｍ未満では前記凸部４の傾斜面９にノギスを載置しにくくなったり、２３ｍｍを超えても前記載置台２の重さが重くなり作業性が悪くなるため、好ましくない。中でも、２２ｍｍであることがより好ましい。
【００２６】
図１に示すように、前記載置台２の凹部８は、第１凹部５と、第２凹部６と、第３凹部７を有していることが好ましい。３つの凹部８を有することで、前記寸法測定用の補助台１を測定ごとに動かすことなく、前記第１凹部５の傾斜面９、第２凹部６の傾斜面９、第３凹部７の傾斜面９の順番にノギスを載せ替えるだけで、タイルカーペットの３箇所の寸法を簡単に測定することができる。
【００２７】
図３に示すように、前記第１凹部５から前記第２凹部６とは反対側の前記載置台２の端部１０までの距離Ｌ１が９７ｍｍ〜１０３ｍｍであることが好ましい。中でも１００ｍｍであることがより好ましい。この範囲にあることで、図４に示すように、幅方向が２５ｃｍであるタイルカーペット１１の端部から１ｃｍの位置Ｂの寸法を測定することができる。
【００２８】
前記第１凹部５から前記第２凹部６までの距離Ｌ２が１１２ｍｍ〜１１８ｍｍであることが好ましい。中でも１１５ｍｍであることがより好ましい。この範囲にあることで、図４に示すように、幅方向が２５ｃｍであるタイルカーペット１１の端部から１２．５ｃｍの位置Ｃの寸法を測定することができる。
【００２９】
前記第２凹部６から前記第３凹部７までの距離Ｌ３が１１２ｍｍ〜１１８ｍｍであることが好ましい。中でも１１５ｍｍであることがより好ましい。この範囲にあることで、図４に示すように、幅方向が２５ｃｍであるタイルカーペット１１のもう一方の端部から１ｃｍの位置Ｄの寸法を測定することができる。
【００３０】
図４に示すように、タイルカーペット１１の上に寸法測定用の補助台１を載せた使用状態である。タイルカーペット１１の測定位置を固定するためには、前記載置台２の端部とタイルカーペット１１の長さ方向の端部を揃えることが好ましい。前記寸法測定用の補助台１を測定ごとに動かすことなく、前記第１凹部５の傾斜面９、第２凹部６の傾斜面９、第３凹部７の傾斜面９の順番にノギスを載せ替えるだけで、タイルカーペットの３箇所の寸法を簡単に測定することができる。
【００３１】
前記寸測定用の補助台１の重さとしては、特に限定されるものではないが、７ｋｇ〜１２ｋｇであることが好ましい。この範囲であると、人が両手で運べることができる。さらに、タイルカーペット１１の上に寸法測定用の補助台１を載せて、寸法を測定する際の適切な荷重範囲とすることができる。
【００３２】
図５に、タイルカーペット１１の上に寸法測定用の補助台１を載せ、ノギス１２でタイルカーペット１１のＣ位置の寸法を測定している状態を示す。前記寸法測定用の補助台１があることで、両手でノギスを大きく広げても、凸部の傾斜面９にノギスを載置することで、安定することができるため、タイルカーペット１１の寸法を測定しやすくなる。
【実施例】
【００３３】
次に、本考案の具体的実施例について説明するが、本考案はこれら実施例のものに特に限定されるものではない。
【００３４】
＜使用材料＞
（載置台２）幅５０ｍｍ、長さ４００ｍｍ、高さ１０７ｍｍ、平面視において複数の凹凸形状を有する、凹部までの高さ８５ｍｍ、側面側に連結棒を連結する貫通孔が３個
（連結棒３）直径２０ｍｍ、長さ７００ｍｍ、載置台と載置台の間を連結する連結棒（３本）
（凸部４）突出高さＷ＝２２ｍｍ、凸部の上底と下底を結ぶ直線と前記下底とのなす角度Ａ＝４５°
（第１凹部５）第１凹部５から第２凹部６とは反対側の載置台２の端部１０までの距離Ｌ１＝１００ｍｍ
（第２凹部６）第１凹部５から第２凹部６までの距離Ｌ２＝１１５ｍｍ
（第３凹部７）第２凹部６から第３凹部７までの距離Ｌ３＝１１５ｍｍ
（凹部８）凹部の個数が３個
【００３５】
＜実施例１＞
上記使用材料を用いて、載置台２の側面側と載置台２の側面側に開いている貫通孔に、連結棒３を３本連結させ、３台の載置台２を３本の連結棒３で連結させ、図１に示す寸法測定用の補助台１を得た。次に、図３に示すように、タイルカーペット（パイル糸：ナイロン、パイルの目付：５６０ｇ／ｍ２、樹脂層：ポリ塩化ビニル樹脂製、寸法サイズ：幅方向２５ｃｍ、長さ方向１００ｃｍ、製品厚み：６．５ｍｍ）のパイル表面側を上にして置いてから、タイルカーペットの上に得られた寸法測定用の補助台１を、タイルカーペットの長さ方向の端部と載置台２の端部が揃うように載置台２をセットして、タイルカーペット１１の寸法をノギス１２（株式会社ミツトヨ製、Ｍ形ノギス、ＣＤ−１００Ｃ、外側用測定面１３０ｍｍ、測定部３０ｍｍ）で測定した結果、作業性が良好で、簡単に寸法を測定することができた。
【００３６】
＜比較例１＞
凸部４の上底と下底を結ぶ直線と前記下底とのなす角度Ａを４０°に設定した以外は、実施例１と同様にして、寸法測定用の補助台を得た。得られた寸法測定用の補助台を用いて、実施例１と同様にノギス１２で測定した時、ノギスの測定部がタイルカーペットの測定位置に届かず、寸法を測定することがなかった。
【００３７】
＜比較例２＞
凸部４の上底と下底を結ぶ直線と前記下底とのなす角度Ａを５０°に設定した以外は、実施例１と同様にして、寸法測定用の補助台を得た。得られた寸法測定用の補助台を用いて、実施例１と同様にノギス１２で測定した時、寸法測定用に用いたノギスでは、ノギスの測定部がタイルカーペットの測定位置に届かず、寸法を測定することができなかった。
【００３８】
＜比較例３＞
載置台２の凹部８までの高さＶを７５ｍｍに設定した以外は、実施例１と同様にして、寸法測定用の補助台を得た。得られた寸法測定用の補助台を用いて、実施例１と同様にノギス１２で測定した時、寸法測定用に用いたノギスでは、ノギスの測定部がタイルカーペットの測定位置に当たらず、寸法を測定することができなかった。
【００３９】
＜比較例４＞
前記載置台の凹部までの高さが９５ｍｍに設定した以外は、実施例１と同様にして、寸法測定用の補助台を得た。得られた寸法測定用の補助台を用いて、実施例１と同様にノギス１２で測定した時、ノギスがタイルカーペットまで届かず寸法を測定できなかった。
【００４０】
＜比較例５＞
前記凸部４の突出高さＷが１１ｍｍに設定した以外は、実施例１と同様にして、寸法測定用の補助台を得た。得られた寸法測定用の補助台を用いて、実施例１と同様にノギス１２で測定した時、ノギスを載置台の傾斜面に載置しにくく、手でノギスを支えながら測定する必要があり、作業性が悪かった。
【産業上の利用可能性】
【００４１】
本考案に係る寸法測定用の補助台は、例えば、幅方向が２５ｃｍ、長さ方向が１００ｃｍの長方形タイルカーペットの長さ方向を測定しやすい寸法測定用の補助台として利用することができる。
【符号の説明】
【００４２】
１・・・寸法測定用の補助台
２・・・載置台
３・・・連結棒
４・・・凸部
５・・・第１凹部
６・・・第２凹部
７・・・第３凹部
８・・・凹部
９・・・傾斜面
１０・・・載置台の端部
１１・・・タイルカーペット
１２・・・ノギス
Ｗ・・・凸部の突出高さ（ｍｍ）
Ｖ・・・載置台の凹部までの高さ（ｍｍ）
Ｌ１・・・第１凹部から第２凹部とは反対側の載置台の端部までの距離（ｍｍ）
Ｌ２・・・第１凹部から第２凹部までの距離（ｍｍ）
Ｌ３・・・第２凹部から第３凹部までの距離（ｍｍ）
Ａ・・・凸部の上底と下底を結ぶ直線と下底とのなす角度（°）
Ｂ・・・幅方向が２５ｃｍであるタイルカーペットの端部から１ｃｍの位置
Ｃ・・・幅方向が２５ｃｍであるタイルカーペットの端部から１２．５ｃｍの位置
Ｄ・・・幅方向が２５ｃｍであるタイルカーペットのもう一方の端部から１ｃｍの位置
【図１】
0003207175.tif 000003
【図２】
0003207175.tif 000004
【図３】
0003207175.tif 000005
【図４】
0003207175.tif 000006
【図５】
0003207175.tif 000007